(57)【特許請求の範囲】
【請求項１】
ユーザが自身の出来事を時刻情報とともに記録する出来事入力部と、
当該ユーザの感情を入力する感情入力部と、
前記感情入力部から得られる当該ユーザの感情変化を感情変化値として算出する感情状態算出部と、
前記出来事入力部から入力された出来事記録に対し、前記感情入力部から入力された感情記録、及び、前記感情変化値を付与して保存する体験情報蓄積部と、
ユーザが閲覧したい前記出来事記録の期間情報を受け付ける期間選択入力部と、
前記体験情報蓄積部に蓄積された前記出来事記録のうち前記期間選択入力部によって入力された前記期間情報に基づく一定時間区間の前記出来事記録について提示記録として抽出する提示記録抽出部と、
前記提示記録のそれぞれに付与した前記感情入力部からの入力値及び前記出来事入力部の入力値を用いて前記提示記録の分類を行う記録分類部と、
分類された種類ごとに前記提示記録を格納する提示記録分類格納部と、
ユーザが閲覧する記録の選択を受け付ける選択操作入力部と、
前記提示記録のそれぞれに付与した前記感情変化値と前記選択操作入力部からの選択値とを用いて、前記提示記録分類格納部の提示記録を並べ変えてユーザが閲覧可能な情報として出力する提示出力部とを具備することを特徴とする記録提示装置。
【請求項２】
前記感情入力部は、ユーザによる手入力、もしくは、少なくとも生体信号を用いた自動推定によって、感情を１次元以上の変数値で表現し、記録される体験の周辺の時間帯において最も感情が高ぶったと判断する入力値と、高ぶる直前の感情の入力値の２値間の距離尺度を求め、
前記感情状態算出部は、取得された前記２値間の距離尺度として前記感情変化値を算出し、前記出来事記録および前記感情の入力とともに関連付けて前記体験情報蓄積部で保存することを特徴とする請求項１記載の記録提示装置。
【請求項３】
前記期間選択入力部は、いつ頃の期間の記録を閲覧するかの選択、及び、表示する記録数の選択をユーザに入力させ、
前記提示記録抽出部は、前記期間選択入力部において入力された値から時間幅を算出し、時間幅で区切られた各時間区間の中で、前記感情状態算出部から得られる前記感情変化値の降順で、上位の記録を提示記録として抽出することを特徴とする請求項１記載の記録提示装置。
【請求項４】
前記提示出力部は、前記提示記録分類格納部から１つの提示記録を選択する操作によって、提示記録と同時間区間における提示記録として抽出されなかった他の記録も提示することを特徴とする請求項１記載の記録提示装置。
【請求項５】
少なくともＣＰＵ、メモリ、ハードディスクを備える制御部が、ユーザにより入力されたユーザ自身の出来事を時刻情報とともに取得する第１の過程と、
前記制御部が、前記ユーザにより入力された当該ユーザの感情を取得する第２の過程と、
前記制御部が、前記第２の過程から得られる当該ユーザの感情変化を感情変化値として算出する第３の過程と、
前記制御部が、前記第１の過程から入力された出来事記録に対し、前記第２の過程から入力された感情記録、及び、前記感情変化値を付与して体験情報蓄積部に保存する第４の過程と、
前記制御部が、ユーザが閲覧したい前記出来事記録の期間情報を受け付ける第５の過程と、
前記制御部が、前記体験情報蓄積部に蓄積された前記出来事記録のうち前記第５の過程によって入力された前記期間情報に基づく一定時間区間の前記出来事記録について提示記録として抽出する第６の過程と、
前記制御部が、前記提示記録のそれぞれに付与した前記第２の過程の入力値及び前記第１の過程の入力値を用いて前記提示記録の分類を行う第７の過程と、
前記制御部が、分類された種類ごとに前記提示記録を提示記録分類格納部に格納する第８の過程と、
前記制御部が、ユーザが閲覧する記録の選択を受け付ける第９の過程と、
前記制御部が、前記提示記録のそれぞれに付与した前記感情変化値と前記第９の過程からの選択値とを用いて、前記提示記録分類格納部の提示記録を並べ変えてユーザが閲覧可能な情報として出力する第１０の過程とを具備することを特徴とする記録提示方法。
【請求項６】
前記請求項１乃至４のいずれか１項に記載の記録提示装置により実行されるプログラム。
【発明の詳細な説明】
【技術分野】
【０００１】
本発明は、出来事の記録（テキスト、写真、音声、動画など）を人間の感情体験と結びつけることで効率的に取り出して提示する記録提示装置及び記録提示方法及びプログラムに関する。
【背景技術】
【０００２】
周知のように、祖父母との久しぶりな電話時や、偶然に出会った旧友との対話などにおいて、過去の体験について、共有できないまま対話が終了することがある。そして別れた後に、伝えたかった体験を思い出し、伝えられなかったことを後悔することもある。
【０００３】
一方で、携帯端末の発展と、E-mailやblog、SNSなどの情報の記録・発信の機会が増加し、それに伴い、あらゆる場面で出来事や感じたこと(感情)、つまり体験を、電子的な記録として簡単に蓄積できるようになってきた。
これらの蓄積される膨大な記録は、私たちの私生活を表す重要な情報になり得る。
【先行技術文献】
【非特許文献】
【０００４】
【非特許文献１】S. Hangal, M. S. Lam, and J. Heer. MUSE: Reviving Memories Using Email Archives.UIST’11,16-19, 2011.
【非特許文献２】Cahill, L. , and McGaugh, J. L. A novel demonstration of enhanced memory associated with emotional arousal. ConsciousCogn, 410-421, 1995.
【非特許文献３】Brush, AJ, Meyers, B.R. ,Tan, D.S.andCzerwinski, M. Understanding memory triggers for task tracking. In Proc. CHI‘ 07, 947-950, ACM (2007).
【発明の概要】
【発明が解決しようとする課題】
【０００５】
日常の中で残される様々な記録(テキスト、写真、音声、動画など)を効率的に振り返る従来手法として、時間情報や位置情報に基づいて並べる手法や、記録に含まれ単語を利用して、人名や感情語などのキーワードによってカテゴライズして整理する手法などがある。例えば、Hangalら非特許文献１の研究では、E-mailの記録をカテゴリ化し可視化することで、効率的な振り返りを支援するシステムの構築を行っている。
【０００６】
しかし従来の手法では、記録を探し出す際に、ユーザが特定の目的を持って、キーワード検索を行うなどの操作を通して、記録を探し出す必要があった。ユーザが思い出したい体験自体を思い出せない時、膨大な記録から話題になり得る記録を探しだすことは困難で、多くの時間を要してしまうという問題がある。
【０００７】
このように従来の提示手法では、対話を行っている時のような限られた時間内で、伝えたい話題を思い出させるには適していない。
限られた時間内で、多くの過去の体験を素早く思い出させ、共有相手に体験を伝えるきっかけを作るために、以下の点に着目する。
【０００８】
（ａ１）認知科学の分野においては、感情が高まる時の体験は、思い出しやすいということが多くの研究によって示されている（非特許文献２）。
（ａ２）デジタルコンテンツを用いた過去の振り返りに関する従来研究に、人は体験の詳細な記録でなく、体験の一部分の記録のみでも振り返りに十分であることを示す研究がある（非特許文献３）。
【０００９】
本発明の目的は、限られた時間内において、多くの過去の体験を素早く思い出させ、共有相手に体験を伝えるきっかけを作り得る記録提示装置及び記録提示方法及びプログラムを提供することにある。
【課題を解決するための手段】
【００１０】
上記目的を達成するために本発明に係る記録提示装置は、ユーザが自身の出来事を時刻情報とともに記録する出来事入力部と、当該ユーザの感情を入力する感情入力部と、感情入力部から得られる当該ユーザの感情変化を感情変化値として算出する感情状態算出部と、出来事入力部から入力された出来事記録に対し、感情入力部から入力された感情記録、及び、感情変化値を付与して保存する体験情報蓄積部とを具備し、ユーザから出来事記録の閲覧要求があった場合に、出来事記録に付与された感情変化値に基づいて、体験情報蓄積部に蓄積された出来事記録をユーザに提示するようにしたものである。
【００１１】
このように構成すると、「感情が高まる時の体験は思い出しやすい」という認知科学で発見されている現象を利用し、ある出来事が発生したときの感情状態を、その出来事の時間帯の代表例を取り出すためのインデックスとし、ユーザにより入力された出来事記録を体験情報蓄積部に格納する際に、その出来事が起きた時の周辺の時間帯で最も高ぶった感情（値）と、高ぶる直前の感情（値）をユーザから取得し、かつその二つの感情から感情変化値を算出して、その両方の値を出来事記録に付与して体験情報蓄積部に保存することで、ユーザが記録提示装置に対し出来事記録の閲覧要求を送出した場合に、体験情報蓄積部の記憶内容を参照して、感情が高ぶる状態への感情変化値が最大のときの出来事記録を、代表的な「提示記録」として抽出しユーザに提示できる。
【００１２】
従って、思い出しやすい体験の一部の記録を提示することで、ユーザに対し短い時間で多くの過去を振り返ることを可能とさせ、対話時に素早く伝えたい体験を思い出すことを実現できる。
【００１３】
また、本発明に係る記録提示装置は、ユーザが自身の出来事を時刻情報とともに記録する出来事入力部と、当該ユーザの感情を入力する感情入力部と、感情入力部から得られる当該ユーザの感情変化を感情変化値として算出する感情状態算出部と、出来事入力部から入力された出来事記録に対し、感情入力部から入力された感情記録、及び、感情変化値を付与して保存する体験情報蓄積部と、ユーザが閲覧したい出来事記録の期間情報を受け付ける期間選択入力部と、体験情報蓄積部に蓄積された出来事記録のうち期間選択入力部によって入力された期間情報に基づく一定時間区間の出来事記録について提示記録として抽出する提示記録抽出部と、提示記録のそれぞれに付与した感情入力部からの入力値及び出来事入力部の入力値を用いて提示記録の分類を行う記録分類部と、分類された種類ごとに提示記録を格納する提示記録分類格納部と、ユーザが閲覧する記録の選択を受け付ける選択操作入力部と、提示記録のそれぞれに付与した感情変化値と選択操作入力部からの選択値とを用いて、提示記録分類格納部の提示記録を並べ変えてユーザが閲覧可能な情報として出力する提示出力部とを備えるようにしたものである。
【００１４】
このように構成すると、ユーザにより入力された出来事記録を体験情報蓄積部に格納する際に、その出来事が起きた時の周辺の時間帯で最も高ぶった感情（値）と、高ぶる直前の感情（値）をユーザから取得し、かつその二つの感情（値）から感情変化値を算出して、その両方の値を出来事記録に付与して体験情報蓄積部に保存することで、体験情報蓄積部の記憶内容を参照して、ユーザが指定した単位時間ごとに、感情が高ぶる状態への感情変化値が最大のときの出来事記録を、その時間区間の代表的な「提示記録」として抽出し、さらに抽出した結果を、最も高ぶった感情（値）の傾向と、出来事記録自体の持つ情報（キーワード）を用いて分類するようにしているので、ユーザが出来事記録を取り出すときは、最も高ぶった感情（値）とキーワードによる分類ごとに、抽出された「提示記録」を素早く取得し、さらに「提示記録」とリンクされた前後時間の出来事記録を取得することで、感情状態をもとに該当時間帯の出来事記録を素早く取得できる。
【００１５】
従って、想起しやすい体験の一部の記録のみを提示することで、提示する記録数を減らし、短い時間で様々な体験を思い出させることができる。また、記録の内容の種類や感情状態によってカテゴリ化を行うことにより、対話の相手や状況に合わせた話題を素早く探し出すことができる。さらに、全区間から想起しやすい記録を１つまたは少数抽出することで、提示する記録に時間的な偏りを防ぎ様々な体験を想起させることを促す。
【００１６】
また、本発明に係る記録提示装置の一観点は以下のような態様を備える。
第１の態様は、感情入力部は、ユーザによる手入力、もしくは、少なくとも生体信号を用いた自動推定によって、感情を１次元以上の変数値で表現し、記録される体験の周辺の時間帯において最も感情が高ぶったと判断する入力値と、高ぶる直前の感情の入力値の２値間の距離尺度を求め、感情状態算出部は、取得された２値間の距離尺度として感情変化値を算出し、出来事記録および感情の入力とともに関連付けて体験情報蓄積部で保存するようにしたものである。
【００１７】
第１の態様のように構成すると、ユーザによる手入力、もしくは、少なくとも生体信号を利用して、感情変化値を算出できる。
【００１８】
第２の態様は、期間選択入力部は、いつ頃の期間の記録を閲覧するかの選択、及び、表示する記録数の選択をユーザに入力させ、提示記録抽出部は、期間選択入力部において入力された値から時間幅を算出し、時間幅で区切られた各時間区間の中で、感情状態算出部から得られる感情変化値の降順で、上位の記録を提示記録として抽出するようにしたものである。
【００１９】
第２の態様のように構成すると、ユーザが自身で閲覧する記録の期間、記録数を判断して記録提示装置に指示することができ、これにより真に必要な期間で真に必要な記録数の提示記録を提示できる。
【００２０】
第３の態様は、提示出力部は、提示記録分類格納部から１つの提示記録を選択する操作によって、提示記録と同時間区間における提示記録として抽出されなかった他の記録も提示するようにしたものである。
【００２１】
第３の態様のように構成すると、１つの提示記録だけでなく、選択した提示記録と同時間区間における抽出されなかった他の記録を候補として多く抽出して提示することにより、対話時に素早く伝えたい体験をさらに思い出させることができる。
【発明の効果】
【００２２】
本発明によれば、ユーザに対し限られた時間内で多くの体験を素早く思い出させることができる。
また、ユーザが思い出したい体験を明確に持っていなくても、思い出すきっかけをシステム側から与えることができる。
【図面の簡単な説明】
【００２３】
【図１】本発明の一実施形態に係る記録提示装置の一例を示すブロック図。
【図２】本実施形態において、感情を２次元座標系上で表現する例を示す図。
【図３】本実施形態において、感情変化値を算出し、出来事記録を時刻、感情記録及び感情変化値に対応付けて体験情報蓄積部に格納する一例を示す図。
【図４】本実施形態において、提示記録抽出部の処理手順を示すフローチャート及び提示記録格納部の記憶内容の一例を示す図。
【図５】本実施形態において、提示記録の抽出例と、端末上での動作例を示す図。
【図６】本実施形態において、記録分類部の一例を示す図。
【図７】本実施形態において、提示記録分類格納部の記憶内容の一例を示す図。
【図８】本実施形態において、提示出力部の動作を示すフローチャート。
【図９】本実施形態において、期間選択入力部及び選択操作入力部及び提示出力部において、ユーザの携帯端末画面上で入出力する場合の画面遷移の例を示す図。
【発明を実施するための形態】
【００２４】
以下、本発明の実施形態について図面を参照して詳細に説明する。
図１は、本発明の一実施形態に係る記録提示装置の一例を示すブロック図である。
記録提示装置１０は、例えば携帯端末であり、図１に示すように、出来事記録収集部１１と、提示記録作成部１２と、入出力部１３に分けることができる。
【００２５】
出来事記録収集部１１及び提示記録作成部１２は、例えば、ＣＰＵ、メモリ、ハードディスクを備える制御部に備えられる。入出力部１３は、記録提示装置１０に対し種々の動作指示を入力するために使用するもので、ユーザによるキーワードの入力を受け付け、またｗｅｂ（図示せず）から送られるデータを入力するためのものである。
【００２６】
出来事記録収集部１１は、感情入力部１１１と、感情状態算出部１１２と、出来事入力部１１３と、時刻入力部１１４と、体験情報蓄積部１１５とを備えている。また、提示記録作成部１２は、提示記録抽出部１２１と、提示記録格納部１２２と、記録分類部１２３と、提示記録分類格納部１２４とを備えている。さらに、入出力部１３は、期間選択入力部１３１と、選択操作入力部１３２と、提示出力部１３３とを備えている。
【００２７】
感情入力部１１１では、端末を用いたユーザの手入力による感情評価値、もしくは、心拍や皮膚電気活動などの生体信号を用いた自動推定値によって、当該ユーザの感情を例えば２次元座標系上で定量的に表現し、その感情が記録される体験の周辺の時間帯において最も感情が高ぶった点の値と、高ぶる直前の点の値の２点間の距離尺度を取得する。
【００２８】
図２は、感情を２次元座標系上で表現する例を示す。このモデルは縦軸（変数ｙ）が高覚醒−低覚醒を表し、横軸（変数ｘ）がポジティブ−ネガティブを表している。このモデル上の縦軸と横軸で値を取り得る範囲を−１〜１として表し、ユーザの感情状態を絶対値として表現するために用いる。ユーザの手入力による感情評価値の場合、端末上に提示された感情モデル上で、最も感情が高ぶった点(ｘi2,ｙi2)(中心（原点）より距離が離れるほど高ぶる)と、高ぶる直前の点(ｘi1,ｙi1)の２点を入力させる(図３参照)。
【００２９】
感情状態算出部１１２では、図３に示すように、時刻入力部１１４により入力される時刻tiにおいて、次式に示すように、感情入力部１１１で得られた値から感情が高ぶる方向への変化量として感情変化値Ｖiを算出する。
【数１】
0006043690.tif 000002
【００３０】
出来事入力部１１３では、時刻tiにおいてユーザが電子的に残すテキストや写真などを出来事記録ｄiとする。この時刻tiとは時刻入力部から入力する時刻情報であって、出来事が発生したときの絶対時刻として入力しても良く、またユーザが後で任意の時刻情報を入力しても良いものとする。出来事入力時に、同時に感情入力を行わせるとともに、感情変化値Ｖiを求め、入力時の時刻tiと共に図３のように体験情報蓄積部１１５に格納する。
【００３１】
期間選択入力部１３１では、いつ頃の期間の記録を閲覧するかの選択、及び、画面に提示する記録数の選択をユーザに入力させ、値として取得する。選択された期間の長さをＬ時間、提示する記録数をＮとしたとき、時間幅ＴをＴ＝Ｌ／Ｎとして算出する。
【００３２】
提示記録抽出部１２１は、図４に示す処理手順を実行する。図４は、上記提示記録抽出部１２１の動作を示すフローチャートで、さらに提示記録格納部１２２の記憶内容を示す。
【００３３】
提示記録抽出部１２１は、体験情報蓄積部１１５の全記録を、期間選択入力部１３１においてユーザが時間幅Ｔを設定すると（ステップＳＴ４ａ）、時間幅Ｔで分割し各区間をＴjとする(j=1,2,..,N)（ステップＳＴ４ｂ）。そして分割された各区間に含まれる出来事記録を感情変化値Ｖiの最大値Ｖmを算出し（ステップＳＴ４ｃ）、この最大値Ｖmの出来事記録、感情記録及び感情変化値Ｖmを提示記録として提示記録格納部１２２に格納する（ステップＳＴ４ｄ）。
【００３４】
以後、提示記録抽出部１２１は、全ての区間ＴNについて、ステップＳＴ４ｃ乃至ステップＳＴ４ｅの処理を実行し、全ての区間ＴNについての処理が完了した場合（Ｙｅｓ）、記録分類部１２３への処理に移行する。
また、提示記録抽出部１２１は、分割された各区間に含まれる出来事記録を感情変化値Ｖiの降順で並べ、上位から１個以上を提示記録Ｄiとして抽出し、提示記録格納部１２２に格納するようにしてもよい。
【００３５】
さらに、抽出されたＮ個の提示記録Ｄ1〜ＤNは、端末画面上において感情変化値Ｖiの大きい順序に提示される。図５は、提示記録の抽出例と、端末上での動作例を示す。図５において、ｄ1，ｄ2，ｄ3とは、区間Ｔ1に含まれる出来事記録で、抽出される提示記録をＤ1とする。例えば、提示記録Ｄ1がｄ2として抽出された場合、提示記録格納部１２２の区間Ｔ1には感情記録(ｘ21,ｙ21)(ｘ22,ｙ22)と、感情変化値Ｖ1が格納される。また、提示される提示記録Ｄ1〜ＤNのうち１つの提示記録Ｄ1をユーザが選択したとすると、詳細提示画面に画面が切り替わり、提示記録と同区間で提示記録として抽出されなかった記録も含めた記録ｄ1，ｄ2，ｄ3 を表示する。
【００３６】
図６は、記録分類部１２３の一例を示す。記録分類部１２３では、各提示記録に対して出来事分類と感情分類を行い、図７に示すように提示記録分類格納部１２４の出来事分類テーブル（図７（ａ））、感情分類テーブル（図７（ｂ））に格納する。出来事分類では、提示記録のテキストデータや画像データを用いて出来事のカテゴリ分類を行う。例えば、テキスト中のキーワードを抽出してタグとする手法などがあげられる。さらに、トピックモデルなどのキーワードからトピックを抽出する手法などがあげられる。また画像データに対しては、画像の色彩や形状の類似度からカテゴリ分類を行う方法があげられる。感情分類では、提示記録と同時刻に入力された感情入力部の値(ｘi2,ｙi2)に対して、感情分類を行う閾値τ（図６では、τx1, τy1, τx2, τy2）を設け、各提示記録は閾値τによって判定された感情状態に分類される。
【００３７】
図８は、提示出力部１３３の動作を示すフローチャートである。  
提示出力部１３３は、提示記録分類格納部１２４に格納された全ての提示記録を取り出し（ステップＳＴ８ａ）、選択操作入力部１３２で取得されるユーザの選択操作によって、表示する提示記録を決定する。例えば、取り出された全提示記録から、ユーザが感情Ａを選択すると（ステップＳＴ８ｂ、Ｙｅｓ）、感情Ａ以外の感情分類に属する提示記録は画面上で非表示となる（ステップＳＴ８ｃ）。さらに、ユーザが出来事Ｗ１を選択すると（ステップＳＴ８ｄ、Ｙｅｓ）、「感情Ａ、かつ、出来事Ｗ１」を満たす記録以外は、画面上で非表示となる（ステップＳＴ８ｅ）。なお、ユーザが選択操作する順序は、感情分類、出来事分類のどちらからでもよいとする。提示出力部１３３による提示記録は、感情変化値Ｖiの大きさの降順で提示される（ステップＳＴ８ｆ）。また、提示方法は、一覧として記録を並べえてもよく、降順の順番で画面上にポップアップ形式で提示してもよいとする。
【００３８】
図９は、期間選択入力部１３１、及び、選択操作入力部１３２、及び、提示出力部１３３において、ユーザの携帯端末画面上で入出力する場合の画面遷移の例を示す。
まず、ユーザは、期間選択入力部１３１を操作して例えば「２００２年」から「２００５年」の範囲を選択すると、記録提示装置１０の表示画面上に例えば感情状態「Ａ」、「Ｂ」、「Ｃ」及び出来事カテゴリ「Ｗ１」、「Ｗ２」、「Ｗ３」が表示される。この表示状態で、ユーザが選択操作入力部１３２を操作して例えば感情状態「Ａ」及び出来事カテゴリ「Ｗ１」を選択したとする。すると、記録提示装置１０の表示画面上には、提示出力部１３３により、「２００２年」から「２００５年」の間で、感情状態「Ａ」及び出来事カテゴリ「Ｗ１」の提示記録が一覧表示される。
【００３９】
また、設定によっては、「２００２年」から「２００５年」の間で、選択操作入力部１３２により選択された感情状態「Ａ」及び出来事カテゴリ「Ｗ１」の提示記録をもとに、抽出されなかった他の感情状態「Ｂ」、「Ｃ」、出来事カテゴリ「Ｗ２」、「Ｗ３」の提示記録を体験情報蓄積部１１５から再度検索して抽出し、記録提示装置１０の表示画面上に表示するようにしてもよい。
【００４０】
さらに、設定によっては、「２００２年」より前の感情状態「Ａ」及び出来事カテゴリ「Ｗ１」の提示記録や、「２００５年」より後の感情状態「Ａ」及び出来事カテゴリ「Ｗ１」の提示記録を体験情報蓄積部１１５から再度検索して抽出し、記録提示装置１０の表示画面上に表示するようにしてもよい。
【００４１】
以上のように上記実施形態では、ユーザが出来事入力部１１３を操作して入力された出来事記録を体験情報蓄積部１１５に格納する際に、その出来事が起きた時の周辺の時間帯で最も高ぶった感情（値）と、高ぶる直前の感情（値）を感情入力部１１１によりユーザから取得し、かつその二つの感情（値）から感情変化値を感情状態算出部１１２により算出して、その両方の値を出来事記録に付与して体験情報蓄積部１１５に格納することで、期間選択入力部１３１により期間が選択された場合に、提示記録抽出部１２１にて体験情報蓄積部１１５の記憶内容を参照して、ユーザが指定した単位時間ごとに、感情が高ぶる状態への感情変化値が最大のときの出来事記録を、その時間区間の代表的な「提示記録」として抽出し、さらに記録分類部１２３にて抽出した結果を、感情の高ぶり（値）の傾向と、出来事記録自体の持つ情報（キーワード）を用いて分類するようにしているので、ユーザが出来事記録を取り出すときは、感情の高ぶり（値）とキーワードによる分類ごとに、抽出された「提示記録」を素早く取得し、さらに「提示記録」とリンクされた前後時間の出来事記録を取得することで、感情状態をもとに該当時間帯の出来事記録を素早く取得できる。
【００４２】
従って、想起しやすい体験の一部の記録のみを提示することで、提示する記録数を減らし、短い時間で様々な体験をユーザに思い出させることができる。また、記録の内容の種類や感情状態によってカテゴリ化を行うことにより、対話の相手や状況に合わせた話題を素早く探し出すことができる。さらに、全区間から想起しやすい記録を１つまたは少数抽出することで、提示する記録に時間的な偏りを防ぎ様々な体験を想起させることを促す。
【００４３】
また、上記実施形態では、ユーザが自身で閲覧する記録の期間、記録数を判断して期間選択入力部１３１及び選択操作入力部１３２により指示することができ、これにより真に必要な期間で真に必要な記録数の提示記録を提示できる。
さらに、上記実施形態によれば、１つの提示記録だけでなく、選択した提示記録と同時間区間における抽出されなかった他の記録を候補として多く抽出して提示することにより、対話時に素早く伝えたい体験をさらに思い出させることができる。
【００４４】
（その他の実施形態）  
なお、実施形態としては、図１における出来事記録収集部１１、提示記録作成部１２、入出力部１３の各部が一体の記録提示装置１０に格納されている形で説明したが、この実施形態に固定されるものではない。例えば、出来事記録収集部１１のみサーバ装置に格納し、提示記録作成部１２、入出力部１３は携帯端末上で実行する利用形態も可能である。
【００４５】
このような実施形態であっても、「感情が高まる時の体験は思い出しやすい」という認知科学で発見されている現象を利用し、ある出来事が発生したときの感情状態を、その出来事の時間帯の代表例を取り出すためのインデックスとし、ユーザにより出来事入力部１１３を用いて入力された出来事記録を体験情報蓄積部１１５に格納する際に、その出来事が起きた時の周辺の時間帯で最も高ぶった感情（値）と、高ぶる直前の感情（値）をユーザから取得し、かつその二つの感情（値）から感情変化値を算出して、その両方の値を出来事記録に付与して体験情報蓄積部１１５に格納することで、ユーザが例えば携帯端末を用いてサーバ装置に対し出来事記録の閲覧要求を送出した場合に、サーバ装置が体験情報蓄積部１１５の記憶内容を参照して、高ぶり（値）が最大かつ感情変化値が最大のときの出来事記録を、代表的な「提示記録」として抽出しユーザの携帯端末に送出できる。
【００４６】
従って、思い出しやすい体験の一部の記録を提示することで、ユーザに対し短い時間で多くの過去を振り返ることを可能とさせ、対話時に素早く伝えたい体験を思い出すことを実現できる。
【００４７】
また、出来事記録収集部１１、提示記録作成部１２、入出力部１３で説明した個々の処理は、コンピュータプログラムによってソフトウェア処理することが可能である。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４８】
１０…記録提示装置、１１…出来事記録収集部、１２…提示記録作成部、１３…入出力部、１１１…感情入力部、１１２…感情状態算出部、１１３…出来事入力部、１１４…時刻入力部、１１５…体験情報蓄積部、１２１…提示記録抽出部、１２２…提示記録格納部、１２３…記録分類部、１２４…提示記録分類格納部、１３１…期間選択入力部、１３２…選択操作入力部、１３３…提示出力部。
【図１】
0006043690.tif 000003
【図２】
0006043690.tif 000004
【図３】
0006043690.tif 000005
【図４】
0006043690.tif 000006
【図５】
0006043690.tif 000007
【図６】
0006043690.tif 000008
【図７】
0006043690.tif 000009
【図８】
0006043690.tif 000010
【図９】
0006043690.tif 000011